(57)【要約】【課題】ＬＰＰ配置フレームの偶数／奇数の移行に追随して、同期情報の同期パターンを切り換えることのできる光ディスク記録装置および同期情報記録方法を提供する。【解決手段】偶数／奇数判定部２が、ＬＰＰパターン検出部１により検出されたたランドプリピットの配置フレームが偶数フレームであるか奇数フレームであるかを判定し、同期パターン選択部３が、偶数／奇数判定部２段の判定結果にもとづいて各フレームに記録する同期情報の同期パターンを選択する。【選択図】  図１
2011253594.tif 000002
【特許請求の範囲】
【請求項１】
フレームごとに同期情報を挿入しつつ光ディスクにデータを記録する光ディスク記録装置であって、
前記光ディスクから検出したランドプリピットの配置フレームが偶数フレームであるか奇数フレームであるかを判定する偶数／奇数判定手段と、
前記偶数／奇数判定手段の判定結果にもとづいて各フレームに記録する同期情報の同期パターンを選択する同期パターン選択手段と
を備えることを特徴とする光ディスク記録装置。
【請求項２】
前記同期パターン選択手段が、
前記偶数／奇数判定手段の判定結果が偶数フレームの場合は、偶数フレームに記録する前記同期パターンをスペース、奇数フレームに記録する前記同期パターンをマークとする選択を行い、
前記偶数／奇数判定手段の判定結果が奇数フレームの場合は、偶数フレームに記録する前記同期パターンをマーク、奇数フレームに記録する前記同期パターンをスペースとする選択を行う
ことを特徴とする請求項１に記載の光ディスク記録装置。
【請求項３】
型番の異なる光ディスクごとに前記偶数／奇数判定手段による判定を事前に行い、前記ランドプリピットの配置フレームの偶数フレームから奇数フレームへの移行、あるいは奇数フレームから偶数フレームへの移行が行われたアドレスを偶数／奇数移行アドレス情報として、前記型番とともに記憶した記憶手段をさらに備え、
記録時には、前記同期情報パターン選択手段が、記録対象の光ディスクから読み取られた型番識別情報にもとづいて、対応する型番の前記偶数／奇数移行アドレス情報を前記記憶手段から読み出して、前記同期パターンの選択に使用する
ことを特徴とする請求項１または２に記載の光ディスク記録装置。
【請求項４】
光ディスクにデータを記録する際にフレームごとに挿入する同期情報の記録方法であって、
前記光ディスクから検出したランドプリピットの配置フレームが偶数フレームであるか奇数フレームであるかを判定する偶数／奇数判定ステップと、
前記偶数／奇数判定ステップでの判定結果にもとづいて各フレームに記録する同期情報の同期パターンを選択する同期パターン選択ステップと
を備えることを特徴とする同期情報記録方法。
【請求項５】
前記同期パターン選択ステップにおいて、
前記偶数／奇数判定ステップでの判定結果が偶数フレームの場合は、偶数フレームに記録する前記同期パターンをスペース、奇数フレームに記録する前記同期パターンをマークとする選択を行い、
前記偶数／奇数判定ステップでの判定結果が奇数フレームの場合は、偶数フレームに記録する前記同期パターンをマーク、奇数フレームに記録する前記同期パターンをスペースとする選択を行う
ことを特徴とする請求項４に記載の同期情報記録方法。
【請求項６】
型番識別情報の異なる光ディスクごとに前記偶数／奇数判定ステップによる判定を事前に行い、前記ランドプリピットの配置フレームの偶数フレームから奇数フレームへの移行、あるいは奇数フレームから偶数フレームへの移行が行われたアドレスを偶数／奇数移行アドレス情報として前記型番識別情報とともに記憶手段へ記憶させる記憶ステップをさらに備え、
記録時には、前記同期パターン選択ステップにおいて、記録対象の光ディスクから読み取られた前記型番識別情報に対応する、前記偶数／奇数移行アドレス情報を前記記憶手段から読み出して、前記同期パターンの選択に使用する
ことを特徴とする請求項４または５に記載の同期情報記録方法。
【発明の詳細な説明】
【技術分野】
【０００１】
本発明の実施形態は、光ディスク記録装置および同期情報記録方法に関する。
【背景技術】
【０００２】
記録可能型光ディスクであるＤＶＤ−Ｒ／ＲＷでは、ディスク上の物理アドレスを示すため、記録トラックであるグルーブを所定の周期で蛇行（ウォブル）させるとともに、グルーブに隣接するランドにランドプリピット（ＬＰＰ）を形成するように規定されている。ここで、データの最小単位を１ｃｈ（チャンネル）とした場合、１ウォブルは１８６ｃｈの周期とされている。また、ＬＰＰは、ウォブルの頂点の位置に形成されている。
【０００３】
光ディスク記録装置は、ＤＶＤ−Ｒ／ＲＷディスクのグルーブにピットを形成することにより、データを記録する。このとき、ピットありがマーク、ピットなしがスペース、となる。
【０００４】
ＤＶＤ−Ｒ／ＲＷディスクに記録されるデータは、予めフレーム単位に分割されている。そして、２６個のフレームにより１つのセクタが形成され、１６個のセクタにより情報ブロックとしての１つのＥＣＣブロックが形成される。
【０００５】
２６個のフレームには、０〜２５のフレーム番号が付され、その番号により、偶数フレームと奇数フレームとに分けられる。１フレームには８個のウォルブが存在する。ＬＰＰは、通常、偶数フレームの先頭３ウォブルの位置に配置され、３ビットで１セットを構成する。この３ビットは、決められた規則に従ってアサインされるが、その１ビット目は必ず‘１’である。
【０００６】
データを記録する際、光ディスク記録装置は、このＬＰＰを検出することによって記録位置を決定し、各フレームの先頭には１４Ｔ（Ｔは基準信号長）パターンを含む同期情報を記録する。ＤＶＤ−Ｒ／ＲＷの規格においては、同期情報の同期パターンを１４Ｔマークとするか、１４Ｔスペースとするか、その種類の選択が可能となっている。
【０００７】
このとき、ＬＰＰが配置されているフレームに同期パターンが１４Ｔマークの同期情報を記録すると、記録パワーのレーザ光照射の影響により、隣接するＬＰＰに変形等が生じ、ＬＰＰの検出が困難になるおそれがある。これを避けるためには、ＬＰＰが配置されているフレームの同期パターンを常にスペースとするようにすればよい。すなわち、通常ＬＰＰが配置される、偶数フレームの同期パターンは常に１４Ｔスペースとすればよい。
【０００８】
このように、ＬＰＰへの影響の観点から見ると、総ての同期情報の同期パターンを１４Ｔスペースとすることが望ましい。しかし、一方では、同期情報の同期パターンを総て１４Ｔスペースとすると、記録データの低周波成分の増大を招くことがある。記録データの低周波成分が大きいと、再生時に、この低周波成分が光ピックアップのサーボ信号に漏れ込み、そのサーボ動作に悪影響を及ぼす。これを避けるため、同期情報の同期パターンを交互に１４Ｔスペースと１４Ｔマークにする従来提案がある。この提案では、偶数フレームは同期情報の同期パターンを１４Ｔスペースとし、奇数フレームは同期情報の同期パターンを１４Ｔマークとすることが行われる。
【０００９】
ところが、ＤＶＤ−Ｒ／ＲＷディスクはＣＬＶ（線速度一定）ディスクであるため、１周回当たりのセクタ数が、内周から外周にかけて徐々に増加していく。このため、ＬＰＰを常に偶数フレームに配置すると、ディスク内径の複数箇所において、ＬＰＰの位置が隣り合うトラック間で並んで配置されることが発生する。その場合、隣り合ったトラックのＬＰＰ間でクロストークが発生し、ＬＰＰが読みづらくなる。
【００１０】
これを避けるため、ＤＶＤ−Ｒ／ＲＷの規格では、前周のＬＰＰに対して、次周のＬＰＰの位置がある程度接近した場合、次周のＬＰＰを偶数フレームではなく奇数フレームに形成するよう、規定されている。ただし、接近とみなす距離の具体的な数値化はされておらず、偶数フレームから奇数フレームへの移行位置の設定は、基本的にはディスク製造メーカに委ねられている。
【００１１】
このように、ＬＰＰは、基本的には偶数フレームに配置されるが、トラックの位置によっては、奇数フレームに配置されることもある。したがって、各フレームの同期情報の同期パターンを、上述のように、交互に１４Ｔスペースと１４Ｔマークとした場合、ＬＰＰの配置が奇数フレームへ移行したときに、ＬＰＰに隣接して１４Ｔマークの同期情報が配置されてしまうことになる。
【先行技術文献】
【特許文献】
【００１２】
【特許文献１】特開２００６−９９８７９号公報
【発明の概要】
【発明が解決しようとする課題】
【００１３】
そこで、本発明の目的は、ＬＰＰ配置フレームの偶数／奇数の移行に追随して、同期情報の同期パターンを切り換えることのできる光ディスク記録装置および同期情報記録方法を提供することにある。
【課題を解決するための手段】
【００１４】
本発明の一態様によれば、偶数／奇数判定手段が、光ディスクから検出したランドプリピットの配置フレームが偶数フレームであるか奇数フレームであるかを判定し、同期パターン選択手段が、前記偶数／奇数判定手段の判定結果にもとづいて各フレームに記録する同期情報の同期パターンを選択する光ディスク記録装置が提供される。
【００１５】
また、本発明の別の一態様によれば、光ディスクから検出したランドプリピットの配置フレームが偶数フレームであるか奇数フレームであるかを判定し、その判定結果にもとづいて各フレームに記録する同期情報の同期パターンを選択する同期情報記録方法が提供される。
【図面の簡単な説明】
【００１６】
【図１】本発明の実施例１に係る光ディスク記録装置の構成の例を示すブロック図。
【図２】ＬＰＰが配置されるウォブルアドレスの関係およびＬＰＰのパターンの説明図。
【図３】ＬＰＰデコーダの構成の例を示すブロック図。
【図４】ＬＰＰデコーダの動作説明図。
【図５】セクタの構成説明図。
【図６】実施例１の光ディスク記録装置の処理の流れの例を示すフロー図。
【図７】実施例１の光ディスク記録装置の動作の例を示す波形図。
【図８】本発明の実施例２に係る光ディスク記録装置の構成の例を示すブロック図。
【図９】実施例２の光ディスク記録装置で用いる偶数／奇数移行アドレス情報の記憶部１２への格納処理の例を示すフロー図。
【図１０】記憶部１２に格納されている偶数／奇数移行アドレス情報の例を示す図。
【図１１】実施例２の光ディスク記録装置の処理の流れの例を示すフロー図。
【図１２】実施例２の光ディスク記録装置の動作の例を示す波形図。
【発明を実施するための形態】
【００１７】
以下、本発明の実施例について図面を参照して説明する。なお、図中、同一または相当部分には同一の符号を付して、その説明は繰り返さない。
【実施例１】
【００１８】
図１は、本発明の実施例１に係る光ディスク記録装置の構成の例を示すブロック図である。ここで、本実施例の光ディスク記録装置は、通常の光ディスク記録装置と同様、ＬＰＰデコーダ１００、変調タイミング制御部２００、同期パターンテーブル３００を備えているものとする。
【００１９】
ＬＰＰデコーダ１００は、光ディスクから検出したウォブル信号をＰＬＬ回路でロックさせて安定化したロックドウォブル信号と、光ディスクから検出したプリピット信号を適切なスライスレベルでスライスして得られる２値化プリピット信号とから、光ディスク上での各ＥＣＣブロック内のセクタアドレス情報、フレームアドレス情報を生成する。
【００２０】
変調タイミング制御部２００は、記録開始タイミング信号および記録クロック信号の入力を受けて、光ディスクへの変調信号の記録タイミングを制御する。この変調タイミング制御部２００により同期情報の出力タイミングが制御される。
【００２１】
同期パターンテーブル３００には、１４Ｔマークの同期パターンと１４Ｔスペースの同期パターンが格納されている。
【００２２】
本実施例の光ディスク記録装置は、２値化プリピット信号からＬＰＰのデータパターンを検出するＬＰＰパターン検出部１と、ＬＰＰデコーダ１００から取得したフレームアドレス情報にもとづいて、ＬＰＰパターン検出部１によりＬＰＰのデータパターンが検出されたフレームが偶数フレームであるか、奇数フレームであるかを判定する偶数／奇数判定部２と、偶数／奇数判定部２の判定結果にもとづいて各フレームに記録する同期情報の記録パターンの種類を選択する同期パターン選択部３と、を備える。
【００２３】
図２に、ＬＰＰが配置されるウォブルアドレスの位置およびＬＰＰのデータパターンの種類を示す。
【００２４】
ＬＰＰは、フレーム内の先頭３ウォブル位置である、ウォブルアドレス０、１、２に配置される。
【００２５】
ＬＰＰありを‘１’、ＬＰＰなしを‘０’と表すと、この３ウォブルのＬＰＰの有無により、ＬＰＰのデータパターンの内容が区別される。データパターンの内容を大別すると、同期データと情報データとに分けられる。
【００２６】
偶数フレームにＬＰＰを配置するときは、第０フレームに同期データとして‘１１１’が記録される。一方、奇数フレームにＬＰＰを配置するときは、第１フレームに同期データとして‘１１０’が記録される。
【００２７】
第２フレーム以降には、１セクタ当たり１２ビット分の情報データが記録される。情報データは、‘１００’がデータ値０を表し、‘１０１’がデータ値１を表す。
【００２８】
この１２ビットの情報データとして、前半の４ビットにはＥＣＣブロック内におけるセクタアドレス情報（Relative  Address）が埋め込まれ、後半の８ビットにはＥＣＣブロックアドレス情報等が埋め込まれている。
【００２９】
ＬＰＰパターン検出部１は、２値化プリピット信号を分析し、図２に示したデータパターンのいずれかに該当するビット並びを検出したときに、ＬＰＰ検出信号を出力する。
【００３０】
図３に、ＬＰＰデコーダ１００の内部構成の例を示す。
【００３１】
ＬＰＰデコーダ１００は、ウォブルカウンタ１１０と、フレームカウンタ１２０と、セクタカウンタ１３０とにより構成される。
【００３２】
ウォブルカウンタ１１０は、ＬＰＰが配置されているウォブルを検出するＬＰＰ配置ウォブル検出部１１１の出力期間に合わせて、カウンタ値の０〜２の出力タイミングを調整する。
【００３３】
フレームカウンタ１２０は、ウォブルカウンタ１１０が示すウォブルアドレスと同期パターン検出部１２１により検出されたＬＰＰの同期データが、‘１１１０００００’であるときはカウンタ値を‘０’、‘１１００００００’であるときはカウンタ値を‘１’に初期設定する。
【００３４】
セクタカウンタ１３０は、フレームカウンタ１２０のカウント値が２〜９の期間中の４ビットの２値化プリピット信号をデコードするセクタアドレスアドレスデコード部１３１の出力に合わせて、そのカウンタ値を初期設定する。
【００３５】
上述の手順により初期設定を行った後は、各カウンタは、カウント動作を連続して実行する。図４に、定常状態における、ウォブルカウンタ１１０、フレームカウンタ１２０、セクタカウンタ１３０のカウンタ値の相互関係を示す。
【００３６】
偶数／奇数判定部２は、ＬＰＰパターン検出部１からＬＰＰ検出信号が入力されると、その時点のフレームアドレス情報をＬＰＰデコーダ１００内のフレームカウンタ１２０から取得する。そして、フレームカウンタ１２０のカウンタ値にもとづいて、偶数／奇数判定部２は、ＬＰＰのデータパターンが検出されたフレームが偶数フレームであるか、奇数フレームであるかを判定する。
【００３７】
具体的には、偶数／奇数判定部２は、ＬＰＰ検出信号が入力されたときのフレームカウンタ１２０の最下位ビットの値を読み取り、その値が‘０’の場合は偶数フレームにＬＰＰが配置されていると判定し、その値が‘１’の場合は奇数フレームにＬＰＰが配置されていると判定する。
【００３８】
同期パターン選択部３は、偶数／奇数判定部２の判定結果にもとづいてスイッチＳＷを制御し、同期パターンテーブル３００に格納されている複数の同期パターンの中から各フレームに記録する同期パターンを選択し、光ディスクに記録する同期情報として出力する。
【００３９】
同期情報は、図５に示すように、各フレームの先頭に配置される。そこで、同じく各フレームの先頭位置のランドに配置されているＬＰＰへの影響を避けるため、同期情報選択部３は、ＬＰＰが配置されているフレームへは同期パターンが１４Ｔスペースの同期情報が配置され、ＬＰＰが配置されていないフレームへは同期パターンが１４Ｔマークの同期情報を配置されるように、同期パターンを選択する。
【００４０】
すなわち、偶数／奇数判定部２の判定結果が偶数フレームであるときは、同期情報選択部３は、偶数フレームに対しては１４Ｔスペースの同期パターンを選択し、奇数フレームに対しては１４Ｔマークの同期パターンを選択する。
【００４１】
一方、偶数／奇数判定部２の判定結果が奇数フレームであるときは、同期情報選択部３は、偶数フレームに対して１４Ｔマークの同期パターンを選択し、奇数フレームに対しては１４Ｔスペースの同期パターンを選択する。
【００４２】
図６に、本実施例における同期情報のパターン選択動作の処理フローの例をフロー図で示す。
【００４３】
まず、光ディスクから検出されたプリピット信号を２値化した２値化プリピット信号に対して、ＬＰＰパターン検出部１が、ＬＰＰパターンの検出を行う（ステップＳ０１）。
【００４４】
ＬＰＰパターン検出部１は、２値化プリピット信号を分析し、ＬＰＰのデータパターンに該当するビット並びを検出したときに、ＬＰＰ検出信号を出力する。
【００４５】
ＬＰＰパターン検出部１からＬＰＰ検出信号が出力されると、偶数／奇数判定部２が、ＬＰＰデコーダ１００内のフレームカウンタ１２０からフレームアドレス情報を取得する（ステップＳ０２）。
【００４６】
続いて、偶数／奇数判定部２は、フレームカウンタ１２０のカウンタ値にもとづいて、ＬＰＰのデータパターンが検出されたフレームが偶数フレームであるか、奇数フレームであるかを判定する（ステップＳ０３）。
【００４７】
次に、偶数／奇数判定部２の判定結果にもとづいて、同期パターン選択部３が、同期パターンテーブル３００に格納されている複数の同期パターンの中から、各フレームに記録する同期情報の同期パターンを選択する（ステップＳ０４）。
【００４８】
ここでは、偶数／奇数判定部２の判定結果が偶数フレームであるときは、同期情報選択部３は、偶数フレームに対しては１４Ｔスペースの同期パターンを選択し、奇数フレームに対しては１４Ｔマークの同期パターンを選択する。
【００４９】
また、偶数／奇数判定部２の判定結果が奇数フレームであるときは、同期情報選択部３は、偶数フレームに対して１４Ｔマークの同期パターンを選択し、奇数フレームに対しては１４Ｔスペースの同期パターンを選択する。
【００５０】
図７に、本実施例の光ディスク記録装置で上述の処理を行ったときの動作例を波形図で示す。
【００５１】
図７に示す例は、ＬＰＰ配置フレームが偶数フレームから奇数フレームに変更されている例である。すなわち、それまで偶数フレームに配置されていたＬＰＰが、偶数フレームである第６フレームに配置されず、第７フレームからは、奇数フレームに配置されている。
【００５２】
このＬＰＰ配置フレームが偶数フレームから奇数フレームに変更されたことに対して、偶数／奇数判定部２の判定結果が“偶数”から“奇数”へ変化する。
【００５３】
この偶数／奇数判定部２の判定結果の変化を受けて、同期情報選択部３は、偶数フレームに配置する同期情報の同期パターンを、１４Ｔスペースから１４Ｔマークへ切り替える。また、同期情報選択部３は、奇数フレームに配置する同期情報の同期パターンを、１４Ｔマークから１４Ｔスペースへ切り替える。
【００５４】
ただし、偶数／奇数判定部２の判定結果の確定が第７フレームの終了時点であるため、第７フレームの同期パターンは、本来１４Ｔスペースが望まれるのに対して、１４Ｔマークとなっている。したがって、この部分では、ＬＰＰと１４Ｔマークの同期パターンの配置位置が重なってしまう。しかしながら、このような重なりが発生するのは、光ディスク全体から見ると、ごく僅かな比率である。なぜなら、ＬＰＰ配置フレームの偶数、奇数の変化周期はディスク約１周回分となっており、１周回には、最内周でも約３２×２６フレーム分の同期パターンが配置されるからである。
【００５５】
したがって、仮にＬＰＰの読み取りエラーが発生したとしても、十分エラー訂正が行える範囲であり、実用上、問題は生じない。
【００５６】
このような本実施例によれば、ＬＰＰ配置フレームが、偶数フレームから奇数フレーム、あるいは奇数フレームから偶数フレームへ移行しても、その移行に追随して、同期情報の同期パターンを切り替えることができる。
【実施例２】
【００５７】
実施例１では、光ディスクへの記録を行いながら、偶数／奇数判定部２の判定を行うため、ＬＰＰ配置フレームの偶数／奇数の移行の検出に時間を要し、上述したように判定結果の出力に遅れを生じる。
【００５８】
しかしながら、ＬＰＰ配置フレームの偶数／奇数の移行アドレスは、同じメーカの同じ型番の光ディスクであれば、どれも同じである。したがって、ＬＰＰ配置フレームの偶数／奇数の移行を予め検出し、その移行アドレス情報を記憶しておけば、光ディスクへの記録の都度偶数／奇数判定部２による判定を行う必要がなく、上述した判定結果の出力遅れの問題も解消される。
【００５９】
そこで、本実施例では、様々な型番の光ディスクについて、予め、ＬＰＰ配置フレームの偶数／奇数の移行の検出を行って、その移行アドレス情報を光ディスクの型番ごとに記憶するようにした光ディスク記録装置の例を示す。
【００６０】
図８は、本発明の実施例２に係る光ディスク記録装置の構成の例を示すブロック図である。
【００６１】
本実施例の光ディスク記録装置は、実施例１の光ディスク記録装置に、アドレス値算出部１１と、記憶部１２と、を付加したものである。
【００６２】
また、本実施例のＬＰＰパターン検出部１Ａは、ＬＰＰ検出信号のほかに、ＬＰＰに記録された情報データのデータ値をビットデータ情報として出力する。
【００６３】
アドレス値算出部１１は、ＬＰＰの形成が検出されたフレームのアドレス情報を算出する。アドレス情報には、そのフレームの光ディスク上の位置を示すＥＣＣブロックアドレス、セクタ番号、フレーム番号が含まれる。
【００６４】
アドレス値算出部１１は、ＬＰＰパターン検出部１Ａから出力されたビットデータ情報からＬＰＰに記録されている１６バイトのＥＣＣブロックアドレス情報を取得する。また、ＬＰＰデコーダ１００から、セクタ番号およびフレーム番号を取得する。
【００６５】
記憶部１２は、偶数／奇数判定部２の判定結果が、偶数から奇数へ移行したとき、または奇数から偶数へ移行したときに、その移行が発生したフレームのアドレス情報をアドレス値算出部１１から取得し、その移行方向の情報とともに、例えばフラッシュメモリなどの不揮発性メモリに格納する。
【００６６】
ただし、偶数／奇数判定部２の判定結果の出力には、上述の遅れ時間があるので、記憶部１２は、その遅れを差し引いて、偶数／奇数移行フレームのアドレス値を算出する。
【００６７】
本実施例では、記憶部１２への記憶作業を、光ディスクの型番ごとに予め行っておく。記憶部１２は、光ディスクの型番とともに、偶数／奇数移行方向情報とアドレス情報を記憶する。
【００６８】
図９に、偶数／奇数移行アドレス情報の記憶部１２への格納処理の例をフロー図で示す。
【００６９】
ある型番の光ディスクに対する処理が開始されると、偶数／奇数判定部２により、ＬＰＰ配置フレームが偶数フレームであるか、奇数フレームであるかの判定を行う（ステップＳ１１）。
【００７０】
記憶部１２は、偶数／奇数判定部２の判定結果をモニターし、その判定結果が、偶数から奇数へ移行したとき、または奇数から偶数へ移行したときに、その移行が発生したフレームのアドレス情報をアドレス値算出部１１から取得する（ステップＳ１２）。
【００７１】
続いて、記憶部１２は、取得したアドレス情報に対して偶数／奇数判定部２の判定遅れを補正して、偶数／奇数移行アドレス情報を生成する（ステップＳ１３）。
【００７２】
続いて、記憶部１２は、型番を１つの単位として、偶数／奇数移行アドレス情報、偶数／奇数移行方向情報を、不揮発性メモリに格納する。
【００７３】
光ディスクの最終フレームまで本フローの処理を繰り返し、記録終了に至ったら、その処理を終了する。
【００７４】
様々な型番の光ディスクについて図９に示すフローの処理を行うと、記憶部１２には、図１０に示すような、型番ごとの偶数／奇数移行アドレス情報が格納される。
【００７５】
図１０に示す例では、型番ごとに、ＥＣＣブロック番号、セクタ番号、フレーム番号により構成される偶数／奇数移行アドレス情報と、偶数／奇数移行方向情報が１組にまとめられて格納されている。
【００７６】
なお、この例では、偶数／奇数移行方向情報は、‘１’が偶数から奇数への移行を示し、‘０’が奇数から偶数への移行を示している。
【００７７】
図８に戻って、本実施例の同期パターン選択部３Ａは、記録対象の光ディスクから読み取られた型番識別情報と、記憶部１２から読み出した偶数／奇数移行アドレス情報と、アドレス値算出部１１から入力されたアドレス情報とにもとづいて、同期パターンの選択を行う。
【００７８】
図１１に、同期パターン選択部３Ａにおける処理の流れをフロー図で示す。
【００７９】
まず、同期パターン選択部３Ａは、記録対象の光ディスクのＬＰＰから読み取られた型番識別情報を取得する（ステップＳ２１）。
【００８０】
続いて、同期パターン選択部３Ａは、記憶部１２から該当型番の偶数／奇数移行アドレス情報、偶数／奇数移行方向情報を読み出す（ステップＳ２２）。
【００８１】
なお、読み出した偶数／奇数移行アドレス情報、偶数／奇数移行方向情報は、記録動作の実行中は保持しておく。
【００８２】
記録動作が開始されると、同期パターン選択部３Ａは、アドレス値算出部１１から入力される、現在記録が行われているフレームのアドレス情報から、次に記録が実行されるフレームのアドレスを算出する（ステップＳ２３）。
【００８３】
次に、同期パターン選択部３Ａは、その算出したアドレスを、記憶部１２から読み出して保持している偶数／奇数移行アドレス情報と比較する。そして、両者が一致するときは、同期パターン選択部３Ａは、次に記録が実行されるフレームの先頭で、偶数／奇数移行方向情報にもとづいて、同期パターンの切り替えを行う（ステップＳ２３）。
【００８４】
図１２に、本実施例の光ディスク記録装置で上述の処理を行ったときの動作例を波形図で示す。
【００８５】
図１２に示す例も、図７と同様、ＬＰＰ配置フレームが、第７フレーム以降、偶数フレームから奇数フレームへ変更されている。
【００８６】
したがって、記憶部１２から読み出した偶数／奇数移行アドレス情報、偶数／奇数移行方向情報には、このＬＰＰ配置フレームの移行に関する情報が記載されている。すなわち、偶数／奇数移行アドレス情報中には、フレーム番号＝７であることが記載され、偶数／奇数移行方向情報には、‘１’（偶数から奇数への移行）が記載されている。
【００８７】
そこで、同期パターン選択部３Ａは、この偶数／奇数移行アドレス情報および偶数／奇数移行方向情報にもとづいて、この第７フレームに配置する同期情報の同期パターンを１４Ｔスペースとし、以降、奇数フレームに配置する同期情報の同期パターンを１４Ｔスペースとする。
【００８８】
また、同期情報選択部３Ａは、第８フレーム以降の偶数フレームに配置する同期情報の同期パターンを、１４Ｔマークとする。
【００８９】
このような本実施例によれば、予め検出したＬＰＰ配置フレームの偶数／奇数移行情報にもとづいて、同期情報の同期パターンの切り替えを行うので、ＬＰＰと１４Ｔマークの同期パターンの配置位置が重なることを防止することができる。
【００９０】
また、偶数／奇数移行に関する情報の記憶部１２への書き込みは、随時行うことができる。これにより、例えば新しい型番の光ディスクが発売されても、その光ディスクに関する偶数／奇数移行に関する情報を直ちに記憶部１２へ書き込むことができ、その光ディスクに対する同期パターンの配置を適切に行うことができる。
【符号の説明】
【００９１】
１、１Ａ  ＬＰＰパターン検出部
２  偶数／奇数判定部
３、３Ａ  同期パターン選択部
１１  アドレス値算出部
１２  記憶部
【図１】
2011253594.tif 000003
【図２】
2011253594.tif 000004
【図３】
2011253594.tif 000005
【図４】
2011253594.tif 000006
【図５】
2011253594.tif 000007
【図６】
2011253594.tif 000008
【図７】
2011253594.tif 000009
【図８】
2011253594.tif 000010
【図９】
2011253594.tif 000011
【図１０】
2011253594.tif 000012
【図１１】
2011253594.tif 000013
【図１２】
2011253594.tif 000014